(57)【要約】【課題】携帯電話機等に組み込まれる振動装置の振動発生用分銅であって、比較的小さな力でカシメによりモータの回転軸に確実に固定することができるものを提供する。【解決手段】携帯電話機等に設けられる振動装置用モータの回転軸に固着される取り付け部と、該取り付け部から一方に張り出す重錘部とを備え、前記取り付け部には、一方に開口する概略Ｕ字状の嵌合溝が形成され、該取り付け部の外周部の前記嵌合溝の溝底付近側方位置には、該取り付け部の外周側から切り込まれた凹部が形成されている振動装置用分銅。【選択図】        図１
2004330142.tif 000002
【特許請求の範囲】
【請求項１】
携帯電話機等に設けられる振動装置用モータの回転軸に固着される取り付け部と、該取り付け部から一方に張り出す重錘部とを備え、前記取り付け部には、一方に開口する概略Ｕ字状の嵌合溝が形成され、該取り付け部の外周部の前記嵌合溝の溝底付近側方位置には、該取り付け部の外周側から切り込まれた凹部が形成されていることを特徴とする振動装置用分銅。
【請求項２】
前記嵌合溝部の底部にモータの回転軸の外周に沿う円弧状の当接部が形成され、該円弧状の当接部の開口部の両側には、該円弧状部分の端部から側方に広がるように段差部が形成されている請求項１に記載の振動装置用分銅。
【発明の詳細な説明】
【０００１】
【発明の属する技術分野】
本発明は、携帯電話機等に組み込まれる振動装置の振動発生用分銅に関するものである。
【０００２】
【従来の技術】
携帯電話機等における無音呼び出し装置として、小型モータの回転軸に偏心荷重を構成する分銅を取り付けたものが使用されている。この種の分銅は、比重の高い重合金（例えばタングステン−ニッケル−銅合金）で作られており、その取り付け部には、モータの回転軸が嵌合する凹部が設けられている。そして、モータの回転軸をこの凹部に嵌合して、周囲からカシメることにより該モータの回転軸に固着される。この分銅を取り付けたモータを回転させると、分銅の偏心荷重により振動が発生する。
【０００３】
従来の振動発生用分銅は、上記のとおり、荷重となる重錘部分から偏心した位置に取り付け部を設け、該取り付け部に嵌合用の凹部を形成したもので、この嵌合用凹部にモータの回転軸を嵌合してカシメることによってモータの回転軸に取り付けられるが、その取り付け部の構造としては、従来種々のものが提案されている（例えば特許文献１、特許文献２、特許文献３参照）。
【０００４】
【特許文献１】
特許第２９８３８２２号公報
【０００５】
【特許文献２】
特許第３０４６０１１号公報
【０００６】
【特許文献３】
特許第２８４０５４７号公報
【０００７】
【発明が解決しようとする課題】
上記特許文献１及び特許文献３に記載のものは、図６に示すように、扇形の分銅の一部に外周側へ突出する部分１０３を設け、この部分に取付孔１０４を設けたものである。この取付孔１０４にモータ１０５の回転軸１０６を挿入し、側面部からカシメを行って固定する。なお、カシメ方法としては、例えば図８に示すように、突出する部分１０３をポンチで加圧する方法を採用することができる。また、特許文献２に記載の分銅２００は、図７に示すように、半円状の分銅の辺の中心部に断面が半円形の溝２０４を設けたもので、この溝は辺２０６に開口している。この溝にモータの回転軸を挿入し、カシメを施して固定する。
【０００８】
しかしながら、上記特許文献１及び特許文献３に示すように、取付孔を設けて、これにモータの回転軸を挿通して固定する方法では、カシメのための加圧力として大きな加圧力を必要とするという問題点があり、しかもカシメによって変形する部分の体積が小さいので、固着力が不十分となりやすい。また、特許文献２に記載のものは、半円形の溝の開口部を両側から加圧するが、加圧する部分２０７の面積が小さいため、加圧が難しく、しかも大きな加圧力が必要である。
【０００９】
分銅をモータの回転軸に固定するためのカシメに問題があり、確実な固定が行われない場合は、使用中に分銅とモータの回転軸の取り付け部が緩んで、所期の機能が得られなくなるという問題が発生していた。そこで本発明は、振動発生用分銅を比較的小さな力でカシメによりモータの回転軸に確実に固定することができるようにすることを課題としている。
【００１０】
【課題を解決するための手段】
上記課題を解決するため、本発明は次のような分銅を提供する。すなわち、請求項１に記載の振動装置用分銅は、携帯電話機等に設けられる振動装置用モータの回転軸に固着される取り付け部と、該取り付け部から一方に張り出す重錘部とを備え、前記取り付け部には、一方に開口する概略Ｕ字状の嵌合溝が形成され、該取り付け部の外周部の前記嵌合溝の溝底付近側方位置には、該取り付け部の外周側から切り込まれた凹部が形成されていることを特徴としている。
【００１１】
また、請求項２に記載の振動装置用分銅は、請求項１に記載のものに加えて、さらに、前記嵌合溝部の底部にモータの回転軸の外周に沿う円弧状の当接部が形成され、該円弧状の当接部の開口部の両側には、該円弧状部分の端部から側方に広がるように段差部が形成されていることを特徴としている。
【００１２】
本発明に係る振動装置用分銅は、その取り付け部に一方に開口する概略Ｕ字状の嵌合溝が形成されているので、その開口部からモータの回転軸を簡単に嵌合することができる。また、取り付け部の基部となる前記嵌合溝の底部付近の外側に、凹部が形成されているので、モータの回転軸を嵌合した後、該取り付け部の突出部分を両側から加圧すると、該凹部の作用により、取り付け部の突出部分が容易に変形し、嵌合している回転軸の外周部に押し付けられる。このため、回転軸の外周部が分銅の取り付け部内に包み込まれ、しっかりと保持される。
【００１３】
【発明の実施の形態】
以下、図面に表された本発明の実施形態例に基づいて、具体的に説明する。図１は本発明に係る振動装置用分銅を例示するもので、この分銅１は、比重の高い金属材料、例えばＷ−Ｎｉ−Ｃｕ系重合金等を材質とし、断面が概略扇型の重錘部分２と、該扇形の要部分を基部３ａとして外方に突出する取り付け部３とを一体に形成してなる。
【００１４】
取り付け部３には、その先端側から切り込まれた概略Ｕ字状の嵌合溝４が設けられている。この嵌合溝４は、モータの回転軸が嵌合するもので、その溝幅は、回転軸の直径とほぼ等しい幅となっている。嵌合溝４の溝底部５内面は、モータの回転軸の外周に適応する半円形であり、嵌合溝４の両側の取り付け部先端部もそれぞれ丸みを帯びた形状に形成されている。
【００１５】
この分銅１の前記取り付け部の基部３ａには、外側から内側に向かって切り込まれた凹部５，５が設けられている。この凹部５は、カシメ時に取り付け部３の変形を容易にするもので、形状は直径が数ｍｍの概略半円状である。
【００１６】
この分銅の取り付けに際しては、図２（ａ）に示すように、前記嵌合溝４にモータの回転軸１０を嵌合し、図２（ｂ）に示すように、取り付け部３の先端部分を両側から加圧する。これにより、取り付け部３の先端部が回転軸１０の外周部に沿って回り込むように変形し、回転軸１０が取り付け部３内に包み込まれた状態となる。図３は、カシメ方法を例示するもので、嵌合溝４が設けられた取り付け部３の上方（先端側）から概略Ｖ字状の加工面６ａ．６ａを有する金型６を図の矢印方向に押し付けることにより、取り付け部３の先端部が回転軸１０の回りに被さるように変形する。なお、嵌合溝４に対する回転軸１０の嵌合は、該回転軸の先端部から嵌合溝４の溝底付近に挿入してもよいが、嵌合溝４の開口部側から該嵌合溝４に沿って嵌合する方が軸方向の位置決めが容易である。
【００１７】
次に、図４は上記と異なる実施形態を表すもので、この分銅２０は、重錘部２２は上記実施形態と同じであるが、取り付け部２３の構造が異なっている。すなわち、この分銅２０の取り付け部２３に設けられている嵌合溝２４は、その溝底部２５に回転軸１０の外周面に適応した断面半円形部分２６が設けられているが、該半円形部分２６の両側の端部には、段差部２７が形成されており、それよりも先端側の部分の内縁面２８は、内向きに若干傾斜している。前記段差部２７の傾斜角度は５〜４５度、内縁面２８の傾斜角度は３〜１５度程度とするのが好ましいが、これに限るものではない。
【００１８】
この分銅２０は、モータの回転軸１０を嵌合溝２４に嵌合し、取り付け部２３の両側から加圧してカシメを行う。嵌合溝２４に回転軸１０を開口部から嵌合する場合は、当該回転軸１０が前記段差部２７の傾斜面に案内されて溝底部に嵌り込み、その底面をなす半円形部分２６に密着する。カシメに際しては、取り付け部２３の両側から加圧するが、取り付け部２３の内縁部は内側に傾斜しているので、加圧によって容易に変形し、回転軸１０を包み込む。このため、回転軸１０に対する固定は確実である。
【００１９】
図５は、さらに異なる実施形態を表すもので、この分銅３０は、その重錘部３２の中央部に設けた穴に丸棒状（他の形状でもよい）のタングステンブロック４０が嵌合固着されている。タングステンの比重は高いため、重錘部３２を小さくしても所望の重量を得ることができるという利点がある。
【００２０】
本発明によれば、モータの回転軸１０に対する分銅の固着強度を従来のものよりも向上させることができる。例えば、図２に示す実施形態における取り付け強度を実際に測定した結果は次のとおりであった。すなわち、直径０．８ｍｍの回転軸を５００ｋｇｆの力でカシメ、この軸に軸方向の力を加えて、当該軸が動き出す時の荷重を測定したところ、従来の同寸法のものが５〜１０ｋｇｆであったのに比べて、本発明品では９〜１１ｋｇｆであり、強度が高く、バラツキも小さかった。
【００２１】
【発明の効果】
以上の説明から明らかなように、本発明に係る振動装置用分銅は、簡単な構造ながら、振動発生用のモータの回転軸に対しカシメによる固定が容易かつ確実となった。
【図面の簡単な説明】
【図１】分銅の側面図（ａ）及び正面図（ｂ）である。
【図２】モータの回転軸に対する固着方法の説明図である。
【図３】カシメ方法の説明図である。
【図４】上記と異なる実施形態を表す要部の拡大図である。
【図５】さらに異なる実施形態を表す正面図である。
【図６】従来の分銅の正面図（ａ）及び取り付け状態における側面図（ｂ）である。
【図７】上記と異なる従来例を表す正面図である。
【図８】従来のカシメ方法を例示する斜視図である。
【符号の説明】
１      分銅
２      重錘部
３      取り付け部
４      嵌合溝
５      凹部
１０      回転軸
【図１】
2004330142.tif 000003
【図２】
2004330142.tif 000004
【図３】
2004330142.tif 000005
【図４】
2004330142.tif 000006
【図５】
2004330142.tif 000007
【図６】
2004330142.tif 000008
【図７】
2004330142.tif 000009
【図８】
2004330142.tif 000010